【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
画像を識別する情報である画像識別子を照合する照合部を備え、
前記画像識別子は、当該画像識別子を構成する各次元に関連付けられる、画像中の、２つの部分領域から領域特徴量が当該次元毎に算出され、
次元毎に算出された前記領域特徴量の差分値の絶対値に基づいて、当該差分値が前記画像識別子の各次元の値として量子化されている情報であり、
かつ、当該差分値が所定の値より小さい場合には特定の値に量子化され、
前記照合部は、照合する２つの画像識別子を構成するある次元のそれぞれの値がいずれも前記特定の値の場合に、各次元の値の少なくとも一方が前記特定の値でない場合とは異なる処理を用いて当該２つの画像識別子を照合する、画像識別子照合装置。
【請求項２】
請求項１に記載の画像識別子照合装置であって、
前記照合部は、照合する２つの画像識別子を構成するある次元のそれぞれの値の少なくとも一方が前記特定の値ではない、次元の数をＡとし、前記Ａ個の前記次元のうち量子化された値が画像識別子の間で一致する次元の数をＢとした場合に、ＢをＡで割った結果の値に基づいて当該２つの画像識別子を照合する、画像識別子照合装置。
【請求項３】
請求項１に記載の画像識別子照合装置であって、
前記照合部は、照合する２つの画像識別子を構成するある次元のそれぞれの値の少なくとも一方が前記特定の値ではない、次元の数をＡとし、前記Ａ個の前記次元のうち量子化された値が画像識別子の間で一致しない次元の数をＣとした場合に、ＣをＡで割った結果の値に基づいて当該２つの画像識別子を照合する、画像識別子照合装置。
【請求項４】
画像を識別する情報である画像識別子を照合する照合部を備え、
前記画像識別子は、当該画像識別子を構成する各次元に関連付けられる、画像中の、２つの部分領域から領域特徴量が当該次元毎に算出され、
次元毎に算出された前記領域特徴量の差分値の絶対値に基づいて、当該差分値が前記画像識別子の各次元の値として量子化されている情報であり、
かつ、当該差分値が所定の値より小さい場合には特定の値に量子化され、
前記照合部が照合する前記画像識別子は、当該画像識別子を構成する複数の次元に対応して量子化された各値が１バイトの値に符号化された情報を含むように符号化され、
前記照合部は、照合する２つの画像識別子が含む前記符号化された値に基づいて、当該２つの画像識別子を照合する、画像識別子照合装置。
【請求項５】
請求項４に記載の画像識別子照合装置であって、
前記照合部は、前記符号化された値に対応する複数の次元の量子化された値の間のハミング距離に基づいて当該２つの画像識別子を照合する、画像識別子照合装置。
【請求項６】
請求項４に記載の画像識別子照合装置であって、
前記照合部は、前記符号化された値に対応する複数の次元の量子化された値の間の類似度に基づいて当該２つの画像識別子を照合する、画像識別子照合装置。
【請求項７】
画像を識別する情報である画像識別子を照合し、
前記照合される前記画像識別子は、当該画像識別子を構成する各次元に関連付けられる、画像中の、２つの部分領域から領域特徴量が当該次元毎に算出され、
次元毎に算出された前記領域特徴量の差分値の絶対値に基づいて、当該差分値が前記画像識別子の各次元の値として量子化されている情報であり、
かつ、当該差分値が所定の値より小さい場合には特定の値に量子化され、
前記照合では、照合する２つの画像識別子を構成するある次元のそれぞれの値がいずれも前記特定の値の場合に、各次元の値の少なくとも一方が前記特定の値でない場合とは異なる処理を用いて当該２つの画像識別子を照合する、画像識別子照合方法。
【請求項８】
請求項７に記載の画像識別子照合方法であって、
前記照合では、照合する２つの画像識別子を構成するある次元のそれぞれの値の少なくとも一方が前記特定の値ではない、次元の数をＡとし、前記Ａ個の前記次元のうち量子化された値が画像識別子の間で一致する次元の数をＢとした場合に、ＢをＡで割った結果の値に基づいて当該２つの画像識別子を照合する、画像識別子照合方法。
【請求項９】
請求項７に記載の画像識別子照合方法であって、
前記照合では、照合する２つの画像識別子を構成するある次元のそれぞれの値の少なくとも一方が前記特定の値ではない、次元の数をＡとし、前記Ａ個の前記次元のうち量子化された値が画像識別子の間で一致しない次元の数をＣとした場合に、ＣをＡで割った結果の値に基づいて当該２つの画像識別子を照合する、画像識別子照合方法。
【請求項１０】
画像を識別する情報である画像識別子を照合し、
前記照合される前記画像識別子は、当該画像識別子を構成する各次元に関連付けられる、画像中の、２つの部分領域から領域特徴量が当該次元毎に算出され、
次元毎に算出された前記領域特徴量の差分値の絶対値に基づいて、当該差分値が前記画像識別子の各次元の値として量子化されている情報であり、
かつ、当該差分値が所定の値より小さい場合には特定の値に量子化され、
さらに、当該画像識別子を構成する複数の次元に対応して量子化された各値が１バイトの値に符号化された情報を含むように符号化され、
前記照合では、照合する２つの画像識別子が含む前記符号化された値に基づいて、当該２つの画像識別子を照合する、画像識別子照合方法。
【請求項１１】
請求項１０に記載の画像識別子照合方法であって、
前記照合では、前記符号化された値に対応する複数の次元の量子化された値の間のハミング距離に基づいて当該２つの画像識別子を照合する、画像識別子照合方法。
【請求項１２】
請求項１０に記載の画像識別子照合方法であって、
前記照合では、前記符号化された値に対応する複数の次元の量子化された値の間の類似度に基づいて当該２つの画像識別子を照合する、画像識別子照合方法。
【請求項１３】
コンピュータを、
画像を識別する情報である画像識別子を照合する照合部として機能させるためのプログラムであって、
前記照合される前記画像識別子は、当該画像識別子を構成する各次元に関連付けられる、画像中の、２つの部分領域から領域特徴量が当該次元毎に算出され、
次元毎に算出された前記領域特徴量の差分値の絶対値に基づいて、当該差分値が前記画像識別子の各次元の値として量子化されている情報であり、
かつ、当該差分値が所定の値より小さい場合には特定の値に量子化され、
前記照合では、照合する２つの画像識別子を構成するある次元のそれぞれの値がいずれも前記特定の値の場合に、各次元の値の少なくとも一方が前記特定の値でない場合とは異なる処理を用いて当該２つの画像識別子を照合する、プログラム。
【請求項１４】
コンピュータを、
画像を識別する情報である画像識別子を照合する照合部として機能させるためのプログラムであって、
前記照合される前記画像識別子は、当該画像識別子を構成する各次元に関連付けられる、画像中の、２つの部分領域から領域特徴量が当該次元毎に算出され、
次元毎に算出された前記領域特徴量の差分値の絶対値に基づいて、当該差分値が前記画像識別子の各次元の値として量子化されている情報であり、
かつ、当該差分値が所定の値より小さい場合には特定の値に量子化され、
さらに、当該画像識別子を構成する複数の次元に対応して量子化された各値が１バイトの値に符号化された情報を含むように符号化され、
前記照合では、照合する２つの画像識別子が含む前記符号化された値に基づいて、当該２つの画像識別子を照合する、プログラム。